【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
表示部を備える情報処理装置であって、
画像処理装置での操作ごとにおける、当該操作の操作ＩＤ、当該操作により生成された文書データの文書ＩＤ、及び操作者に関する情報を関連づけた操作履歴情報を記憶する第１の記憶手段と、
前記画像処理装置で実行されたジョブごとにおける、当該ジョブのジョブＩＤ、当該ジョブに関連する文書ＩＤ、及び操作者に関する情報を関連づけたジョブ履歴情報を記憶する第２の記憶手段と、
前記第２の記憶手段に記憶されたジョブ履歴情報の一覧画面を前記表示部に表示させる制御手段と、
前記制御手段に基づき表示された画面を介して、ユーザに選択されたジョブ履歴情報に含まれる前記文書ＩＤ及び前記操作者に関する情報のいずれか又は両方が一致する操作履歴情報を前記第１の記憶手段から検索する検索手段とを有し、
前記制御手段は、前記検索手段により検索された操作履歴情報の一覧画面を前記表示部に表示させることを特徴とする情報処理装置。
【請求項２】
前記ジョブ履歴情報の一覧画面において、当該ジョブ履歴情報を絞り込んで表示するための条件をユーザに指示させるための表示が行われることを特徴とする請求項１に記載の情報処理装置。
【請求項３】
前記制御手段は、前記画像処理装置において生成された文書一覧を前記表示部に表示させ、
更に、前記制御手段は、前記文書一覧からユーザに選択された文書の文書ＩＤが一致するジョブ履歴情報を前記第２の記憶手段から検索し、当該検索されたジョブ履歴情報の一覧画面を前記表示部に表示させることを特徴とする請求項１または２に記載の情報処理装置。
【請求項４】
前記ジョブ履歴情報には、更に操作ＩＤが関連づけられており、
前記検索手段は、前記制御手段に基づき表示された画面を介して、ユーザに選択されたジョブ履歴情報に含まれる前記文書ＩＤ、前記操作者に関する情報及び前記操作ＩＤのいずれか又は両方が一致する操作履歴情報を前記第１の記憶手段から検索することを特徴とする請求項１乃至３のいずれか１項に記載の情報処理装置。
【請求項５】
前記検索手段は、前記制御手段に基づき表示された画面を介して、ユーザに選択されたジョブ履歴情報に含まれる前記文書ＩＤ及び前記操作者に関する情報のいずれか又は両方が一致する、当該選択されたジョブ履歴情報を生成した画像処理装置とは異なる画像処理装置の操作履歴情報を前記第１の記憶手段から検索することを特徴とする請求項１乃至４のいずれか１項に記載の情報処理装置。
【請求項６】
前記情報処理装置が画像処理装置であることを特徴とする請求項１乃至４のいずれか１項に記載の情報処理装置。
【請求項７】
表示部を備える情報処理装置であって、
画像処理装置での操作ごとにおける、当該操作の操作ＩＤ、当該操作により生成された文書データの文書ＩＤ、及び操作者に関する情報を関連づけた操作履歴情報を記憶する第１の記憶手段と、
前記画像処理装置で実行されたジョブごとにおける、当該ジョブのジョブＩＤ、当該ジョブに関連する文書ＩＤ、及び操作者に関する情報を関連づけたジョブ履歴情報を記憶する第２の記憶手段と、
前記第１の記憶手段に記憶された操作履歴情報の一覧画面を前記表示部に表示させる制御手段と、
前記制御手段に基づき表示された画面を介して、ユーザに選択された操作履歴情報に含まれる前記文書ＩＤ及び前記操作者に関する情報のいずれか又は両方が一致するジョブ履歴情報を前記第２の記憶手段から検索する検索手段とを有し、
前記制御手段は、前記検索手段により検索されたジョブ履歴情報の一覧画面を前記表示部に表示させることを特徴とする情報処理装置。
【請求項８】
前記操作履歴情報の一覧画面において、当該操作履歴情報を絞り込んで表示するための条件をユーザに指示させるための表示が行われることを特徴とする請求項７に記載の情報処理装置。
【請求項９】
前記制御手段は、前記画像処理装置において生成された文書一覧を前記表示部に表示させ、
更に、前記制御手段は、前記文書一覧からユーザに選択された文書の文書ＩＤが一致する操作履歴情報を前記第１の記憶手段から検索し、当該検索された操作履歴情報の一覧画面を前記表示部に表示させることを特徴とする請求項７または８に記載の情報処理装置。
【請求項１０】
画像処理装置での操作ごとにおける、当該操作の操作ＩＤ、当該操作により生成された文書データの文書ＩＤ、及び操作者に関する情報を関連づけた操作履歴情報を記憶する第１の記憶手段と、
ジョブのジョブＩＤ、当該ジョブに関連する文書ＩＤ、及び操作者に関する情報が関連づいた前記画像処理装置で実行されたジョブのジョブ履歴情報に、前記ジョブを実行した際に行われた操作の操作ＩＤを更に関連づけて記憶する第２の記憶手段とを有し、
前記第１の記憶手段に記憶された操作履歴情報と前記第２の記憶手段に記憶されたジョブ履歴情報とが、前記操作ＩＤに基づき参照できることを特徴とする情報処理装置。
【請求項１１】
画像処理装置での操作ごとにおける当該操作の操作ＩＤと当該操作により生成された文書データの文書ＩＤと操作者に関する情報とを関連づけた操作履歴情報を記憶する第１の記憶手段と、前記画像処理装置で実行されたジョブごとにおける当該ジョブのジョブＩＤと当該ジョブに関連する文書ＩＤと操作者に関する情報を関連づけたジョブ履歴情報を記憶する第２の記憶手段と、制御手段と、検索手段と、表示部とを備える情報処理装置における情報処理方法であって、
前記制御手段が、前記第２の記憶手段に記憶されたジョブ履歴情報の一覧画面を前記表示部に表示させる制御工程と、
前記検索手段が、前記制御工程により表示された画面を介して、ユーザに選択されたジョブ履歴情報に含まれる前記文書ＩＤ及び前記操作者に関する情報のいずれか又は両方が一致する操作履歴情報を前記第１の記憶手段から検索する検索工程とを有し、
前記制御工程では、前記検索手段により検索された操作履歴情報の一覧画面を前記表示部に表示させることを特徴とする情報処理方法。
【請求項１２】
前記ジョブ履歴情報の一覧画面において、当該ジョブ履歴情報を絞り込んで表示するための条件をユーザに指示させるための表示が行われることを特徴とする請求項１１に記載の情報処理方法。
【請求項１３】
前記制御工程では、前記画像処理装置において生成された文書一覧を前記表示部に表示させ、
更に、前記制御工程では、前記文書一覧からユーザに選択された文書の文書ＩＤが一致するジョブ履歴情報を前記第２の記憶手段から検索し、当該検索されたジョブ履歴情報の一覧画面を前記表示部に表示させることを特徴とする請求項１１または１２に記載の情報処理方法。
【請求項１４】
前記ジョブ履歴情報には、更に操作ＩＤが関連づけられており、
前記検索工程では、前記制御工程により表示された画面を介して、ユーザに選択されたジョブ履歴情報に含まれる前記文書ＩＤ、前記操作者に関する情報及び前記操作ＩＤのいずれか又は両方が一致する操作履歴情報を前記第１の記憶手段から検索することを特徴とする請求項１１乃至１３のいずれか１項に記載の情報処理方法。
【請求項１５】
前記検索工程では、前記制御工程により表示された画面を介して、ユーザに選択されたジョブ履歴情報に含まれる前記文書ＩＤ及び前記操作者に関する情報のいずれか又は両方が一致する、当該選択されたジョブ履歴情報を生成した画像処理装置とは異なる画像処理装置の操作履歴情報を前記第１の記憶手段から検索することを特徴とする請求項１１乃至１４のいずれか１項に記載の情報処理方法。
【請求項１６】
前記情報処理装置が画像処理装置であることを特徴とする請求項１１乃至１４のいずれか１項に記載の情報処理方法。
【請求項１７】
画像処理装置での操作ごとにおける当該操作の操作ＩＤと当該操作により生成された文書データの文書ＩＤと操作者に関する情報とを関連づけた操作履歴情報を記憶する第１の記憶手段と、前記画像処理装置で実行されたジョブごとにおける当該ジョブのジョブＩＤと当該ジョブに関連する文書ＩＤと操作者に関する情報とを関連づけたジョブ履歴情報を記憶する第２の記憶手段と、制御手段と、検索手段と、表示部を備える情報処理装置における情報処理方法であって、
前記制御手段が、前記第１の記憶手段に記憶された操作履歴情報の一覧画面を前記表示部に表示させる制御工程と、
前記検索手段が、前記制御工程により表示された画面を介して、ユーザに選択された操作履歴情報に含まれる前記文書ＩＤ及び前記操作者に関する情報のいずれか又は両方が一致するジョブ履歴情報を前記第２の記憶手段から検索する検索工程とを有し、
前記制御工程では、前記検索工程により検索されたジョブ履歴情報の一覧画面を前記表示部に表示させることを特徴とする情報処理方法。
【請求項１８】
前記操作履歴情報の一覧画面において、当該操作履歴情報を絞り込んで表示するための条件をユーザに指示させるための表示が行われることを特徴とする請求項１７に記載の情報処理方法。
【請求項１９】
前記制御工程では、前記画像処理装置において生成された文書一覧を前記表示部に表示させ、
更に、前記制御工程では、前記文書一覧からユーザに選択された文書の文書ＩＤが一致する操作履歴情報を前記第１の記憶手段から検索し、当該検索された操作履歴情報の一覧画面を前記表示部に表示させることを特徴とする請求項１７または１８に記載の情報処理方法。
【請求項２０】
画像処理装置での操作ごとにおける当該操作の操作ＩＤと当該操作により生成された文書データの文書ＩＤと操作者に関する情報とを関連づけた操作履歴情報を記憶する第１の記憶手段と、ジョブのジョブＩＤと当該ジョブに関連する文書ＩＤと操作者に関する情報とが関連づいた前記画像処理装置で実行されたジョブのジョブ履歴情報に、前記ジョブを実行した際に行われた操作の操作ＩＤを更に関連づけて記憶する第２の記憶手段とを有する情報処理装置における情報処理方法であって、
前記第１の記憶手段に記憶された操作履歴情報と前記第２の記憶手段に記憶されたジョブ履歴情報とが、前記操作ＩＤに基づき参照できることを特徴とする情報処理方法。
【請求項２１】
表示部を備えるコンピュータを、
画像処理装置での操作ごとにおける、当該操作の操作ＩＤ、当該操作により生成された文書データの文書ＩＤ、及び操作者に関する情報を関連づけた操作履歴情報を記憶する第１の記憶手段と、
前記画像処理装置で実行されたジョブごとにおける、当該ジョブのジョブＩＤ、当該ジョブに関連する文書ＩＤ、及び操作者に関する情報を関連づけたジョブ履歴情報を記憶する第２の記憶手段と、
前記第２の記憶手段に記憶されたジョブ履歴情報の一覧画面を前記表示部に表示させる制御手段と、
前記制御手段に基づき表示された画面を介して、ユーザに選択されたジョブ履歴情報に含まれる前記文書ＩＤ及び前記操作者に関する情報のいずれか又は両方が一致する操作履歴情報を前記第１の記憶手段から検索する検索手段として機能させ、
前記制御手段は、前記検索手段により検索された操作履歴情報の一覧画面を前記表示部に表示させることを特徴とするプログラム。
【請求項２２】
前記ジョブ履歴情報の一覧画面において、当該ジョブ履歴情報を絞り込んで表示するための条件をユーザに指示させるための表示が行われることを特徴とする請求項２１に記載のプログラム。
【請求項２３】
前記制御手段は、前記画像処理装置において生成された文書一覧を前記表示部に表示させ、
更に、前記制御手段は、前記文書一覧からユーザに選択された文書の文書ＩＤが一致するジョブ履歴情報を前記第２の記憶手段から検索し、当該検索されたジョブ履歴情報の一覧画面を前記表示部に表示させることを特徴とする請求項２１または２２に記載のプログラム。
【請求項２４】
前記ジョブ履歴情報には、更に操作ＩＤが関連づけられており、
前記検索手段は、前記制御手段に基づき表示された画面を介して、ユーザに選択されたジョブ履歴情報に含まれる前記文書ＩＤ、前記操作者に関する情報及び前記操作ＩＤのいずれか又は両方が一致する操作履歴情報を前記第１の記憶手段から検索することを特徴とする請求項２１乃至２３のいずれか１項に記載のプログラム。
【請求項２５】
前記検索手段は、前記制御手段に基づき表示された画面を介して、ユーザに選択されたジョブ履歴情報に含まれる前記文書ＩＤ及び前記操作者に関する情報のいずれか又は両方が一致する、当該選択されたジョブ履歴情報を生成した画像処理装置とは異なる画像処理装置の操作履歴情報を前記第１の記憶手段から検索することを特徴とする請求項２１乃至２４のいずれか１項に記載のプログラム。
【請求項２６】
表示部を備えるコンピュータを、
画像処理装置での操作ごとにおける、当該操作の操作ＩＤ、当該操作により生成された文書データの文書ＩＤ、及び操作者に関する情報を関連づけた操作履歴情報を記憶する第１の記憶手段と、
前記画像処理装置で実行されたジョブごとにおける、当該ジョブのジョブＩＤ、当該ジョブに関連する文書ＩＤ、及び操作者に関する情報を関連づけたジョブ履歴情報を記憶する第２の記憶手段と、
前記第１の記憶手段に記憶された操作履歴情報の一覧画面を前記表示部に表示させる制御手段と、
前記制御手段に基づき表示された画面を介して、ユーザに選択された操作履歴情報に含まれる前記文書ＩＤ及び前記操作者に関する情報のいずれか又は両方が一致するジョブ履歴情報を前記第２の記憶手段から検索する検索手段として機能させ、
前記制御手段は、前記検索手段により検索されたジョブ履歴情報の一覧画面を前記表示部に表示させることを特徴とするプログラム。
【請求項２７】
前記操作履歴情報の一覧画面において、当該操作履歴情報を絞り込んで表示するための条件をユーザに指示させるための表示が行われることを特徴とする請求項２６に記載のプログラム。
【請求項２８】
前記制御手段は、前記画像処理装置において生成された文書一覧を前記表示部に表示させ、
更に、前記制御手段は、前記文書一覧からユーザに選択された文書の文書ＩＤが一致する操作履歴情報を前記第１の記憶手段から検索し、当該検索された操作履歴情報の一覧画面を前記表示部に表示させることを特徴とする請求項２６または２７に記載のプログラム。
【請求項２９】
画像処理装置での操作ごとにおける、当該操作の操作ＩＤ、当該操作により生成された文書データの文書ＩＤ、及び操作者に関する情報を関連づけた操作履歴情報を記憶する第１の記憶手段と、
ジョブのジョブＩＤ、当該ジョブに関連する文書ＩＤ、及び操作者に関する情報が関連づいた前記画像処理装置で実行されたジョブのジョブ履歴情報に、前記ジョブを実行した際に行われた操作の操作ＩＤを更に関連づけて記憶する第２の記憶手段としてコンピュータを機能させ、
前記第１の記憶手段に記憶された操作履歴情報と前記第２の記憶手段に記憶されたジョブ履歴情報とが、前記操作ＩＤに基づき参照できることを特徴とするプログラム。